(57)【要約】【課題】  片手が不自由な身障者でも、マフラーなど多彩な編物を片手のみで編むことのできる毛糸編機を提供する。【解決手段】  長尺状の二本の棒体１１を、所定の間隔を開けて前後平行に配置して本体部１０を形成し、各棒体１１の左右長手方向に、一定の間隔を開けて、毛糸Ｗを所定の手順で掛止するピン１５を複数立設し、本体部１０の左右両端部に、毛糸Ｗを仮止めするための柱片１６を立設する。そして、柱片１６の外周にゴム製表面凸凹滑止シート１６ａを配置する。また、本体部１０の下端面に、前後方向に沿って、前側に下降傾斜する台座２０を着脱自在に取付ける。【選択図】      図１
0003119404.tif 000002
【実用新案登録請求の範囲】
【請求項１】
片手のみで手編みすることのできる毛糸編機であって、長尺状の二本の棒体（１１）を，所定の間隔を開けて前後平行に配置した状態で連結して本体部（１０）を形成し、前記各棒体の左右長手方向に，一定の間隔を開けて，毛糸（Ｗ）を所定の手順で掛止するピン（１５）を複数立設し、前記本体部の左右両端部に，毛糸を仮止めするための柱片（１６）を立設し，該柱片の外周にゴム製表面凸凹滑止シート（１６ａ）を配置し、且つ棒体（１１）の端部に鉤針（３０）を挿入保持する差込穴（１８）と綴針（４０）を挿入保持する差込孔（１７）を設けてなる身障者用毛糸編機。
【請求項２】
片手のみで手編みすることのできる毛糸編機であって、長尺状の二本の棒体（１１）を，所定の間隔を開けて前後平行に配置して本体部（１０）を形成し、前記各棒体の左右長手方向に，一定の間隔を開けて，毛糸（Ｗ）を所定の手順で掛止させるピン（１５）を複数立設し、前記本体部の左右両端部に，毛糸を仮止めするための柱片（１６）を立設し，該柱片の外周にゴム製表面凸凹滑止シート（１６ａ）を配置し，前記本体部の少なくとも左右両端部の下端面に，前後方向に沿って，前側に下降傾斜する台座（２０）を，交換可能に着脱自在に取付け，更に該台座の下面にゴム製表面凹凸滑止シート（２２）を固着してなる身障者用毛糸編機。
【請求項３】
各棒体（１１）の上面に、左右長手方向に沿って、鉤針（３０）で毛糸（Ｗ）をすくってピン（１５）から外すための溝部（１３）を形成し、前記複数のピンを前記溝部の中心に沿って立設してなる請求項１または２に記載の身障者用毛糸編機。
【考案の詳細な説明】
【技術分野】
【０００１】
本考案は、片手のみでマフラーなどの編物を容易に編むことのできる身障者用の毛糸編機に関するものである。
【背景技術】
【０００２】
手編みのマフラーやセーターなどは、編んだ人の心が伝わり、それを贈った人もそれを貰った人も心温まる気持ちなって嬉しいものである。しかし、手編みの編物は両手を使って編む必要があり、片手が不自由な身障者にとっては編みたいと思っても編むことができないといったもどかしさがある。
【考案の開示】
【考案が解決しようとする課題】
【０００３】
本考案はこうした問題に鑑み創案されたもので、片手が不自由な身障者でも、マフラーなどの編物を片手のみで編むことのできる毛糸編機を提供することを課題とする。
【課題を解決するための手段】
【０００４】
図１乃至図１７を参照して説明する。請求項１に記載の身障者用毛糸編機１は、片手のみで手編みすることのできる毛糸編機であって、長尺状の二本の棒体１１を、所定の間隔を開けて前後平行に配置して本体部１０を形成し、前記各棒体１１の左右長手方向に、一定の間隔を開けて、毛糸Ｗを所定の手順で掛止するピン１５を複数立設し、前記本体部１０の左右両端部に、毛糸Ｗを仮止めするための柱片１６を立設し、該柱片の外周にゴム製表面凸凹滑止シート１６ａを配置し、且つ棒体１１の端部に鉤針３０を挿入保持する差込穴１８と綴針４０を挿入保持する差込孔１７を設けてなるものである。
【０００５】
請求項２に記載の身障者用毛糸編機１は、片手のみで手編みすることのできる毛糸編機であって、長尺状の二本の棒体１１を、所定の間隔を開けて前後平行に配置して本体部１０を形成し、前記各棒体１１の左右長手方向に、一定の間隔を開けて、毛糸Ｗを所定の手順で掛止させるピン１５を複数立設し、前記本体部１０の左右両端部に、毛糸Ｗを仮止めするための柱片１６を立設し、該柱片の外周にゴム製表面凸凹滑止シート１６ａを配置し、前記本体部１０の少なくとも左右両端部の下端面に、前後方向に沿って、前側に下降傾斜する台座２０を、交換可能に着脱自在に取付け、更に該台座２０の下面にゴム製表面凹凸滑止シート２２を固着してなるものである。
【０００６】
請求項３に記載の身障者用毛糸編機１は、請求項１および２に記載の考案において、各棒体１１の上面に、左右長手方向に沿って、鉤針３０で毛糸Ｗをすくってピン１５から外すための溝部１３を形成し、前記複数のピン１５を前記溝部１３の中心に沿って立設してなるものである。
【考案の効果】
【０００７】
請求項１に記載の身障者用毛糸編機１は、長尺状の二本の棒体１１を、所定の間隔を開けて前後平行に配置した状態で連結して本体部１０を形成し、各棒体１１の左右長手方向に、一定の間隔を開けて、毛糸Ｗを所定の手順で掛止するピン１５を複数立設し、さらに、本体部１０の左右両端部に、毛糸Ｗを仮止めするための柱片１６を立設し、該柱片の外周にゴム製表面凸凹滑止シート１６ａを配置し、且つ棒体１１の端部に鉤針３０を挿入保持する差込穴１８と綴針４０を挿入保持する差込孔１７を設けたので、片手が不自由な身障者でも容易にマフラーなどの編物を編むことができる。
【０００８】
すなわち、例えば、マフラーを編む場合には、まず、毛糸Ｗの一端に輪を作り、その輪を向こう側の棒体１１のピン１５に掛ける（図５参照）。次に、その毛糸Ｗを、向こう側と手前側の棒体１１のピン１５に交互に８の字を描くように掛けて、所定のピン１５までそれを続ける（図６）。続いて、毛糸Ｗの他端を本体部１０の一方端部に設けた柱片１６に凸凹滑止シート１６ａを介して巻き付けて仮止めし（図７）、その後、ピン１５に掛けた毛糸Ｗを手で押し下げる（図８）。これは、続いて掛ける毛糸Ｗのスペースを確保するためである。
【０００９】
次に、毛糸Ｗの他端を柱片１６から外して、これまでと逆の方向に向かって、同じように、向こう側と手前側のピン１５に８の字を描くようにして掛け、最初のピン１５まで戻り（図９）、その後、他方端部に設けた柱片１６に凸凹滑止シート１６ａを介して巻き付けて仮止めする（図１０）。
【００１０】
この状態で、差込穴１８から抜取った鉤針３０を使って、向こう側（あるいは手前側）に最初に掛け下側に位置する毛糸Ｗをピン１５から外す（図１１）。外し終わったら、手前側（あるいは向こう側）に最初に掛け下側に位置する毛糸Ｗを同じように鉤針３０を使って外す。これで、編物の一段目が完成する。
【００１１】
次に、毛糸Ｗを指で押し下げた後、仮止めしていた毛糸Ｗを外して、最初と同様に８の字を描くようにして使用する全てのピン１５に掛け、同じような作業を繰返す。こうすることによって、所定長さのマフラーを編上げる。次いで、鉤針３０を差込穴１８に戻して保管し、柱片１６に凸凹滑止シート１６ａを介して仮止めしている毛糸Ｗを外して綴針４０に通し、当該綴針４０によって当該マフラーを綴じて（図１２）、完成品とする（図１４）。
【００１２】
請求項２に記載の身障者用毛糸編機１は、請求項１に記載の考案と同様に、片手で容易にマフラーなどの編物を編むことができる。また、本体部１０の少なくとも左右両端部の下端面に、前後方向に沿って、前側に下降傾斜する台座２０を設けたので、向こう側の棒体１１のピン１５を高くして見易くすることができ、片手での作業がより容易となる。
【００１３】
また、この台座２０は、交換可能に着脱自在に取付け、更に該台座の下面にゴム製表面凹凸滑止めシート２２を固着しているので、高さや傾斜角度の異なる複数種の台座２０を揃えることによって、作業者に合ったものを選択することができ、作業がさらに容易となる。
【００１４】
請求項３に記載の身障者用毛糸編機１は、棒体１１の上面に溝部１３を形成し、その溝部１３の中心にそってピン１５を立設したので、鉤針３０で毛糸Ｗをピン１５からすくって外す際に、当該鉤針３０の鉤部３１を溝部１３を侵入させることができるので、毛糸Ｗをすくい上げる作業が容易となる。
【考案を実施するための最良の形態】
【００１５】
本考案に係る身障者用毛糸編機１の実施形態を、図１乃至図４に示す。これは、片手のみで手編みすることのできる毛糸編機１であり、長尺状の二本の棒体１１を、２０ｍｍ〜３０ｍｍの間隔を開けて前後平行に配置し、その左右両端部を連結部１２で連結して本体部１０を形成している。また、各棒体１１の左右長手方向に沿って、１０ｍｍの間隔を開けて、毛糸Ｗを所定の手順で掛止させるピン１５を、１３ｍｍの高さで複数立設している。このピン１５は、その上端部に膨大部１５ａを有し、掛けた毛糸Ｗが容易に外れないようにしている。
【００１６】
なお、本実施形態では、各棒体１１の上面には、左右長手方向に沿って、鉤針３０で毛糸Ｗをすくってピン１５から外すための溝部１３を形成しており、複数のピン１５は、その溝部１３の中心に沿って立設している。隣接するピン１５とピン１５の間隔は、１０ｍｍに限定されず、作業者用や編物に合わせて例えば１５ｍｍや２０ｍｍあるいはそれ以上に設定することができる。また、ピン１５の高さも１３ｍｍ以上またはそれ以下に設定することができる。
【００１７】
また、本体部１０の左右両端部に位置する連結部１２の下端面に、前後方向に沿って、前側に下降傾斜する台座２０を、自在に交換できるように着脱自在に取付けている。本実施形態にあっては、三対の高さや傾斜角度の異なる台座２０を揃えると共に、各台座２０の上端面に二つの孔部２１を形成し、その孔部２１に、連結部１２の下端面から突設したダボ１４を着脱自在に嵌入組付けするようにしている。これにより、作業者に合った高さおよび傾斜の台座２０を取付けることができる。台座２０の底面にはゴム又はゴム製表面凹凸滑止シート２２が取付けてある。さらに、本体部１０の端部に、綴針４０の針穴４１に毛糸Ｗを通すために、当該綴針４０を立設するための差込孔１７を形成している。また差込孔１７の傍に鉤針３０を仮保持する差込穴１８も設けてある。
【００１８】
凸凹滑止シート１６ａ及び凹凸滑止シート２２を構成する滑止シート５０の一例は、図１５〜図１７に示す如く網状に配置した縦帯片５３と横帯片５２の交点に球状部５１を設けたものであるが、これに限定されない。
【００１９】
本実施形態に係る身障者用毛糸編機１は、次のようにして使用する。ここでは、幅が２０ｃｍのマフラーを編む場合について、図５乃至図１４を参照して説明する。
【００２０】
まず、毛糸Ｗの一端に輪を作り、その輪を向こう側に位置する棒体１１の最初のピン１５（１５ａ）に掛ける（図５参照）。次に、その毛糸Ｗを、向こう側と手前側の棒体１１のピン１５に交互に８の字を描くように掛けて、最初のピン１５から２０本目のピン１５（１５ｂ）までそれを続ける（図６）。その後、毛糸Ｗの他端を本体部１０の一方端部に設けた柱片１６（１６ｂ）に凸凹滑止シート１６ａを介して巻付けて仮止めした後（図７）、ピン１５に掛けた毛糸Ｗの全体を手で押下げる（図８）。この押下げは、続いて毛糸Ｗをピン１５に掛ける際に、その掛ける部分を作るためである。
【００２１】
次に、毛糸Ｗの他端を柱片１６（１６ｂ）から外して、これまでと逆の方向に向かって、同じように、向こう側と手前側のピン１５に８の字を描くようにして掛ける（図９）。そして、最初のピン１５（１５ａ）まで戻った後、毛糸Ｗの端を他方端部に設けた柱片１６に凸凹滑止シート１６ａを介して巻付けて仮止めする（図１０）。その際、柱片１６には凸凹滑止シート１６ａが設けられているので、巻付けられた毛糸Ｗはその状態を確実に保持する。
【００２２】
この状態から、差込穴１８から外した鉤針３０を使って、向こう側（あるいは手前側）に最初に掛けた毛糸Ｗ（下側に位置する毛糸Ｗ）を全てのピン１５から外す（図１１）。外し終わったら、手前側（あるいは向こう側）に最初に掛けた毛糸Ｗ（下側に位置する毛糸Ｗ）を同じように鉤針３０を使って全てのピン１５から外す。これで、編物の一段目が完成したことになる。この作業において、棒体１１の上面には溝部１３が形成されているので、鉤針３０の鉤部３１が溝部１３に侵入し、毛糸Ｗを容易にすくい上げることができる。
【００２３】
次に、毛糸Ｗを指で押下げた後、仮止めしていた毛糸Ｗを柱片１６から外して、最初の場合と同様に８の字を描くようにしてピン１５に掛け、同じような作業を繰返す。これによって、幅が２０ｃｍのマフラーを編上げることができる。
【００２４】
なお、網上がったマフラーは、柱片１６に仮止めしている毛糸Ｗを外して綴じ針４０に通し、当該綴針４０によって当該マフラーを綴じる（図１２）。この際、綴針４０を差込孔１７に差し込んで立てた状態とし、その針穴４１に毛糸Ｗを通すことができるので、これらの作業を片手で容易に行うことができる（図１３）。完成したマフラーを図１４に示す。
【００２５】
この身障者用毛糸編機１は、全ての作業を片手で行うことができるので、片方の手が不自由な身障者でも、容易にマフラーなどの編物を編むことができる。また、本体部１０の下端面に、前側に下降傾斜する台座２０を設けているので、向こう側の棒体１１のピン１５を高くして見易くすることができ、片手での作業がより容易となる。また、この台座２０は、交換可能に着脱自在に取付けるので、高さや傾斜角度の異なる複数種の台座２０を揃えることによって、作業者に合ったものを選択することができる。
【００２６】
なお、本実施形態に係る身障者用毛糸編機１は、上記した作用効果を含めて、以下の特徴を有する。
［１］最初から最後まで左右いずれかの片手のみで、編物を完成できる。
［２］毛糸の結び目を作ることなく続けて新しい毛糸へ移れる（結び目がない）。
［３］柄用の毛糸を途中に入れることで、柄編みも簡単にできる。
［４］編んだ毛糸の端を編物の端部にそのまま通して綴じるので、綴じ方が簡単である。
［５］毛糸は見易い並太や極太を使用できる。また、素材を変えることにより、マットやバッグ等様々な作品が可能になる。
［６］毛糸や作業者（身障者）によって、台座を自在に替えることができ、本考案の毛糸編機と作業者の目の距離は３段階の変更ができる。
［７］一段一目が１ｃｍで計算できるので、マフラーなどの長さや幅の予想が立てられる。
［８］編物の裏表の網柄が異なるため、リバーシブルとして着用できる。
［９］座ることのできる身障者であれば、編むことができる（ベッドの上なら、上半身を４５度程度起こすことで編める）。
【００２７】
鉤針３０をそのまま持つのが困難な身障者の場合には、市販の補助グリップを鉤針に取付けて使用するのが好ましい。
【産業上の利用可能性】
【００２８】
本考案に係る身障者用毛糸編機１は、身障者の他に、高齢者や認知症などの健常な日常活動をごく通常に営むことのできない人々にとっても、趣味あるいはリハビリ器具として利用できる有用な道具である。
【図面の簡単な説明】
【００２９】
【図１】本考案に係る身障者用毛糸編機の実施形態を示す斜視図である。
【図２】図１に示す編機において、本体部と台座を取り外した状態を示す分解斜視図である。
【図３】図１のＡ−Ａ線断面図である。
【図４】図１のＢ−Ｂ線断面図である。
【図５】図１に示す編機の使用方法を示す概略平面図である。
【図６】図１に示す編機の使用方法を示す概略平面図である。
【図７】図１に示す編機の使用方法を示す概略平面図である。
【図８】図１に示す編機の使用方法を示す概略側面図である。
【図９】図１に示す編機の使用方法を示す概略平面図である。
【図１０】図１に示す編機の使用方法を示す概略平面図である。
【図１１】図１に示す編機の使用方法を示す概略側面図である。
【図１２】図１に示す編機の使用方法を示す概略側面図である。
【図１３】図１に示す編機の使用方法を示す概略側面図である。
【図１４】図１に示す編機で編んだマフラーを示す正面図である。
【図１５】滑止シートの一例を示す拡大平面図である。
【図１６】図１５のＸ−Ｘ断面図である。
【図１７】図１５のＹ−Ｙ断面図である。
【符号の説明】
【００３０】
１          毛糸編機
１０        本体部
１１        棒体
１２        連結部
１３        溝部
１４        ダボ
１５        ピン
１５ａ      膨大部
１６        柱片
１６ａ      ゴム製凸凹滑止シート
１７        差込孔（綴針の）
１８        差込穴（鉤針の）
２０        台座
２１        孔部
２２        ゴム製凹凸滑止シート
３０        鉤針
３１        鈎部
４０        綴針
４１        針穴
５０        滑止シート
５１        球状部
５２        横帯片
５３        縦帯片
Ｗ          毛糸
【図１】
0003119404.tif 000003
【図２】
0003119404.tif 000004
【図３】
0003119404.tif 000005
【図４】
0003119404.tif 000006
【図５】
0003119404.tif 000007
【図６】
0003119404.tif 000008
【図７】
0003119404.tif 000009
【図８】
0003119404.tif 000010
【図９】
0003119404.tif 000011
【図１０】
0003119404.tif 000012
【図１１】
0003119404.tif 000013
【図１２】
0003119404.tif 000014
【図１３】
0003119404.tif 000015
【図１４】
0003119404.tif 000016
【図１５】
0003119404.tif 000017
【図１６】
0003119404.tif 000018
【図１７】
0003119404.tif 000019